(57)【要約】【課題】  輪状になった身飾品の内周長が規定の寸法内に入っているか否かを簡単な方法で見分ける。【解決手段】  円錐状の形状をなして、その外周面に下限管理ライン２２や上限管理ライン２３などの管理項目の表示部を設けた内周長検器２０を用いる。表示部は一周に渡って帯状に設け、着色などを施して管理限界点を分かり易くする。また、管理仕様の区別がはっきり分かるようにするために仕様区別の符号や寸法値なども表示する。携帯時計のような身飾品の場合には手首の形状に合わせて検器の断面形状を楕円形状にする。携帯時計などの身飾品の内周長が規定寸法内にあるか否かがすぐ分かり、精度の高い判定ができる。【選択図】        図１
2006132939.tif 000002
【特許請求の範囲】
【請求項１】
円錐状の形状をなし、その外周面に管理項目を表示した少なくとも１つの表示部を有することを特徴とする輪状身飾品の内周長検器。
【請求項２】
前記管理項目は寸法や限界点などであることを特徴とする請求項１に記載の輪状身飾品の内周長検器。
【請求項３】
前記表示部は一周に渡って帯状に設けられていることを特徴とする請求項１又は２に記載の輪状身飾品の内周長検器。
【請求項４】
前記表示部は着色が施されていることを特徴とする請求項１乃至３のいずれか１項に記載の輪状身飾品の内周長検器。
【請求項５】
前記表示部は複数の色が着色されていると共に、色分けされていることを特徴とする請求項１乃至４のいずれか１項に記載の輪状身飾品の内周長検器。
【請求項６】
前記表示部には円錐の外周長寸法が表示されていることを特徴とする請求項１乃至５のいずれか１項に記載の輪状身飾品の内周長検器。
【請求項７】
前記円錐状の断面形状は楕円形を成していることを特徴とする請求項１乃至６のいずれか１項に記載の輪状身飾品の内周長検器。
【発明の詳細な説明】
【技術分野】
【０００１】
本発明は、携帯時計やネックレスなど、輪状になって装着される身飾品の内周長を調べる検器に関する。
【背景技術】
【０００２】
古くから、携帯時計（以降、単に時計と呼称する）は手首に装着して使用することから時間を知らせる役割のみならず、身飾りの装飾品としての役割も果たしていた。また、近年においては、手触りや重軽などの装着感と共にデザインなどの装飾感が大きなウエイト性を持って選択されるようになってきている。
【０００３】
この様な役割を持った時計はバンドを用いて手首に装着して使用されるが、バンドも時計と同様に、身飾品の一部としての役割を持ち、時計デザインとの一致性や装着感などを考慮した選択がされている。
【０００４】
時計のバンドは金属バンド、皮バンド、ゴムバンドなどの種類を持つが、何れも時計に取付けられて手首に装着して使用される。一方、装着する手首の周長は男女、人種、年齢などによって異なるため、大別して、人種別や性別にバンドの長さなどに一定の規定値を持たせている。また、その長さにも調整幅を持たせ、その調整幅にも一定の規定値を持たせている。
【０００５】
図７、図８はバンド付時計の一例の側面図と平面図を示したもので、図７は金属バンド付時計の側面図、図８は皮バンド付時計の平面図を示している。図７に示す金属バンド付時計において、金属バンド２は三つ折れタイプの中留５を持ったタイプを示したものである。金属バンドには三つ折れタイプのもの、観音開きタイプのものなど色々なタイプのものが用いられている。図７において、１は時計、２は金属バンドを示している。金属バンド２は第１のバンド３と第２のバンド４と中留５とで構成されている。第１のバンド３及び第２のバンド４は、何れも金属からできた複数の駒３ａ、４ａがバネ棒を介して繋がったものからなっており、その一方端は時計１の両端にある嵌股部分（バンドを取付ける部分）にバネ棒１０を介して取付いている。中留５は下板６、中板７、側板８、ロック装置９らが繋がったものから構成されており、側板８が第１のバンド３の他方端にバネ棒１０を介して取付けられ、ロック装置９が第２のバンド４の他方端にバネ棒１０を介して取付いて、輪状になった金属バンド付時計となっている。皮バンド付時計の一例は、図８に示すように、時計１１に皮バンド１２を取付けたものであるが、皮バンドは第１のバンド１３と第２のバンド１４からなり、第２のバンド１４には止め金具１５が取付いている。また、第１のバンド１３には複数のフック孔１３ａ１、１３ａ２、・・・、１３ａｎ（ｎはフック孔の数）が設けられている。このフック孔に止め金具１５のフック１５ａが係止して輪状になった皮バンド付時計が手首に装着される。尚、図示はしていないが、ゴムバンドは皮バンドとほぼ同じ形状を取っている。
【０００６】
ここで、図９、図１０は手首に装着したときの金属バンド付時計及び皮バンド付時計の側面図を示したもので、図９は図７における金属バンド付時計を手首に装着したときの側面図であり、図１０は図８における皮バンド付時計を手首に装着したときの側面図を示している。図９において、一点鎖線で示したＡは手首の表面を示している。図７で示した金属バンド２の場合は、時計１と反対側に当たる手首の位置で、中留５の下板６、中板７、側板８を畳んで重ね、ロック装置９で固定して手首に装着する方法を取る。これによって、金属バンド付時計なる身飾品が輪状になって手首に装着される。皮バンド付時計の場合は、図１０に示すように、時計１１と反対側に当たる手首の位置で、図８で示した第１の
バンド１３が止め金具１５に差し込まれ、フック孔１３ａに止め金具１５のフック１５ａが入って手首に輪状になって装着される。
【０００７】
ここで、Ａで示された手首表面の周長は手首の太さによって色々変わる。手首の太さは男女、年齢などによっても変わるし、また、人種によっても、もちろん各人の体型によっても変わってくる。この様なことから、バンド付時計、特にバンドに関しては、設計の時点からバンド長を適宜変更することで前記した人種や性別に対応していた。例えば、金属バンドにおいて、ヨーロッパ／アメリカ向けに対しては、男持ち用のバンド最長長さ（金属バンドにおける調整可能な駒が全て付いた場合）を２５０ｍｍとしたならば、女持ち用のバンド最長長さを２３０ｍｍ、男持ち用のバンド最短長さ（金属バンドにおける調整可能な駒を全て取り除いた場合）を２００ｍｍとしたならば、女持ち用のバンド最短長さを１８０ｍｍにする、と言った具合である。この場合、男持ち用も女持ち用も、調整範囲は５０ｍｍ（最長長さ−最短長さ）となる。このように、調整範囲を持たせるのは、同じ人種間でも、各人の体型に合うようバンド調整をする必要があるためである。同様に、日本／東南アジア向けのバンド長を決定することになる。
【０００８】
更にまた、金属バンドの三つ折れタイプや観音開きタイプのものには、輪状になったバンドの中に手が入るようにと、中留の開閉長さなどの規定寸法も定めている。つまり、中留を開けたときにバンド中に手が入るようにし、中留を閉じたときに、バンドが手首に固定される。
【０００９】
ここで、バンド付時計のバンド調整方法について説明する。先ず金属バンドの場合について図７を用いて説明する。図７より、金属バンドの場合は２通りの調整方法を取っている。１つ目の調整方法は、前記したように、第１のバンド３及び第２のバンド４を構成するところの駒３ａ、４ａの数を増減することによってバンド長を調整する方法である。駒の数を増やすとバンド長が長くなり、駒の数を減らすとバンド長が短くなる。２つ目の調整方法は、側板８に設けてある複数の小孔８ａ１、８ａ２、・・・、８ａｎ（ｎは小孔の数）と中板７との係止する位置によって内周長を調整する方法である。側板８に設けてある複数の小孔８ａ１、８ａ２、・・・、８ａｎ（ｎは小孔の数）は内周長の調整用に設けているもので、一方端の小孔８ａ１は第１のバンド３とバネ棒１０を介して係止され、それ以外の小孔８ａ２、・・・、８ａｎはバネ棒１０を介して中板７と係止される。従って、中板７が側板８と係止される小孔８ａ２、・・・、８ａｎの位置によって内周長が短くなったり、長くなったりする。一番短くなる係止位置は小孔８ａ２に中板７を係止したときであり、一番長くなる係止位置は一番端の小孔８ａｎに中板７を係止したときである。このように、バンドの駒３ａ、４ａの増減と中留５での中板７と側板８との係止位置によってバンド長を調整するようになっている。
【００１０】
次に、皮バンドの場合について図８を用いて説明する。図８より、第１のバンド１３に設けられたフック孔１３ａ１、１３ａ２、・・・、１３ａｎ（ｎは孔の数）の連ねた距離が調整範囲になっている。内周長が一番長くなるのはフック孔１３ａ１で係止したときであり、一番短くなるのはフック孔１３ａｎで係止したときである。従って、このフック孔の係止位置で内周長が調整できないものは、バンドの長さが異なるタイプのものを選択する。尚、ゴムバンドの場合は皮バンドの場合と同じ方法を取る。
【発明の開示】
【発明が解決しようとする課題】
【００１１】
近年、時計のデザインが非常に多様化してきた。即ち、消費者のニーズに合わせて時計の厚み、大きさ、形状などが多様に変わってきて、多様なデザインの時計が提供されるようになってきた。これに従い、従来のようなバンド長に基づいて設計すると、調整範囲を持たせているにもかかわらず、希望するバンド長にならないことが多々見受けられるよう
になった。詳しくは、従来のようなバンド長に基づいた設計では、例えば、同じバンドであっても、形状等が異なるケースに適用すると、時計ケースの厚さ、長さ、バンド取付高さ、バンド取付角度、中留構造等の要因により、バンド長が変わってしまう場合が多々見受けられるようになった。つまり、時計の多様化に伴い、時計ケースの長さ、厚み、バンド取付高さ、バンド取付角度など色々な寸法値を取る時計が現れ、従来のバンド長に基づいた設計方法では、バンド長が規定の寸法から外れるものが沢山現れるようになってきた。これは、バンド長が設計値では基準内であっても、ケース等を含めた完成品では規定外になることがあることを意味する。このことは、時計を出荷、管理する上で由々しき問題となっている。
【００１２】
特に、金属バンドにあっては、バンドの長さ調整にバンドの駒を増やしたり、減らしたりして調整することから、増減する駒の数の設定やそれらの調整に多くの時間を要するものとなっていた。
【００１３】
また、皮バンドやゴムバンドにあっては、長さの異なる寸法のものを各種用意しなければならず、バンドの種類を増やす結果を招いていた。更にその上に、各種寸法の異なるバンドの中から規定の内周長を満足させるバンドを選択するのに手間を要するものとなっていた。
【００１４】
本発明は、上記の課題に鑑みて成されたもので、従来の設計時に得られたバンド長を使用するのではなく、輪状になった身飾品の現物（時計であれば、ケースにバンドを取り付けた完成品）の内周長を測定することにより検査を行うことで、バンド長を決定することにある。換言すれば、従来は２次元で得た情報を基にバンドのみからバンド長を算出していたが、この方法では、３次元で、しかもケースにバンドを取り付けた完成品の状態でバンド長を算出する。本発明は、上記要因に依存しない測定、検査方法であり、その内周長が簡単に分かる方法、また、内周長の調整量を簡単に調べる方法を見いだすことを目的とし、時計の出荷、管理上、非常に有効な手段となりうるものである。
【課題を解決するための手段】
【００１５】
上記目的を達成するために、本発明においては内周長検器を用いる。その内周長検器は、円錐状の形状にして、その外周面に管理項目を表示した少なくとも１つの表示部を設ける。また、管理項目は寸法や管理限界点などにする。
【００１６】
また、表示部は一周に渡って帯状に設け、着色などを施す。
【００１７】
また、表示部が複数ある場合には色分けなどを施す。
【００１８】
また、円錐状の検器の断面形状を楕円形状にする。
【発明の効果】
【００１９】
発明の効果として、本発明の内周長検器は円錐状の形状を成す。輪状になった身飾品を円錐状の検器に落とし込んで挿嵌させると、輪状の身飾品の内周長と検器の外周長とが一致した所で停止する。その停止した位置の所で身飾品の内周長がどの位の長さになっているかが分かる。円錐状の検器の外周面に寸法や管理限界点などの管理項目を表示する表示部を設けておくと、身飾品の内周長の管理すべき項目が検器に表示された管理項目と一目で対比することができる。そして、管理項目が規定内にあるか否かの判定ができる。
【００２０】
また、表示部を一周に渡って帯状に設けたり、表示部に着色を施したりすると、どの方向からでも目立って識別ができて判定が早く、間違いのない判定ができる。
【００２１】
また、表示部が複数あると、複数の色で着色すると共に色分けなどを施すことにより１つの検器で類似した身飾品の複数の種類のものを調べることができる。
【００２２】
また、円錐状の断面形状を手首の形状に近い楕円形状にすると、手首に装着したバンド付時計の内周長寸法などは高い精度で得ることができ、信頼性の高い判定結果が得られる。
【発明を実施するための最良の形態】
【００２３】
以下、本発明を実施するための最良の形態を図１、図２を用いて説明する。図１（ａ）は本発明の輪状身飾品の内周長検器の斜視図を示しており、図１（ｂ）は図１（ａ）における内周長検器の要部横断面図を示したものである。また、図２は輪状身飾品を図１に示す内周長検器に挿嵌したときの状態を示す要部側面図を示したものである。尚、本実施形態においては、輪状身飾品としてはバンド付時計を適用し、内周長検器は金属バンド付時計の内周長を調べる検器になっている。
【００２４】
図１（ａ）に示すように、この内周長検器２０は、バンド付時計の内周長を調べる検器で、斜面が傾斜した略円錐状の形状を取っており、その横断面は、図１（ｂ）に示すように、楕円形状を取っている。この内周長検器２０は器体２１の斜面に下限管理ライン２２と上限管理ライン２３の２種類のラインを外周一周に渡って設けてある。下限管理ライン２２は、内周長の最短長さを管理する項目のラインで、最短長さ規定寸法値を示すライン線２２ａと判定し易くするために設けたライン線２２ｂとから構成している。そして、ライン線２２ａとライン線２２ｂとでもって下限管理ラインを帯状に形成している。この帯状の下限管理ライン２２の中で、楕円で示したＤの部分にＦＭＩＮ＊＊＊の文字を表示してある。この文字Ｆ ＭＩＮ＊＊＊のＦはＦｅｍａｌｅの頭文字、即ち、女持ちを意味し、女持ち用金属バンド付時計に対して適用することを意味している。また、ＭＩＮは内周長の最短長さを云っており、規定寸法値が＊＊＊であることを表している。＊＊＊が２００であれば２００ｍｍ、１５０であれば、１５０ｍｍを示す。即ち、女持ち用金属バンド付時計の内周長の最短長さの規定寸法を表示している。最短長さの規定寸法は、ある寸法以下にするとの設定にしたため、規定寸法値は１個しか持たず、従って、この最短長さの規定寸法値をライン線２２ａでもって表示している。尚ここで、判定し易くするために設けたライン線２２ｂは、下限管理ラインを帯状にして後述する着色を施して判定をやり易くするために設けるもので、特に寸法は規定するものではなく適宜に設定するものである。帯状の着色が良く見えて、且つ、判定し易い帯幅を有するものであれば良いものである。一方、上限管理ライン２３は、内周長の最長長さを管理する項目のラインで、最長長さの下限規定寸法値を２３ａ、最長長さの上限規定寸法値を２３ｂのライン線で構成している。最長長さの規定寸法値は、中央値寸法と±の公差寸法値を持つように設定したことから、−側の寸法値を下限規定寸法値の下限寸法ライン線２３ａとして表示し、＋側の寸法値を上限規定寸法値の上限寸法ライン線２３ｂとして表示している。そして、この２本のライン線２３ａ、２３ｂで上限管理ライン２３を帯状に形成している。この帯状の上限管理ライン２３の中で、楕円で示したＥの部分にＦＭＡＸ＊＊＊の文字が表示されている。Ｆは女持ち用を表し、ＭＡＸは内周長の最長長さを表し、＊＊＊は規定の中央値寸法を表している。＊＊＊は２８０であれば２８０ｍｍ、２００であれば、２００ｍｍを示す。なお、最短長さの規定寸法値を中央寸法値と±の公差寸法値を持つようにしたり、最長長さの規定寸法値を、ある寸法値以上／以下とするようにしてもよい。
【００２５】
図２は内周長検器２０に女持ち用バンド付時計を挿嵌した状態を示した図で、輪状にした金属バンド付時計を上方より内周長検器２０にはめ込むことによって図２に示す挿嵌した状態が得られる。そして、金属バンドが静止した位置がバンド付時計の内周長と検器２０の外周長とが一致した位置になり、これによりバンド付時計の内周長を読み取ることができる。図２においては、金属バンド付時計３０が内周長検器２０の上限管理ライン２３
の範囲の中に納まって挿嵌している。上限管理ライン２３でもってバンド付時計３０の内周長を見る場合は、金属バンドの中留の中板と側板との係止位置を一番バンドが長くなる位置で、且つ、バンドの駒を全部取付けた状態でのバンドを最大に長くした状態で行う。図２において、金属バンド３２の下側に上限寸法ライン線２３ｂが見えて、下限寸法ライン線２３ａが見えない。従って、この金属バンド付時計３０の最長長さの内周長は、下限寸法ライン線２３ａより大きく、上限寸法ライン線２３ｂより小さいことが分かる。即ち、規定寸法内に納まっていると判定できる。金属バンド付時計３０を内周長検器２０に挿嵌した状態で、バンド３２が下限寸法ライン線２３ａと上限寸法ライン線２３ｂの間に落ち着いていれば、規定内の寸法に入っていることを表している。
【００２６】
一方、下限管理ライン２２でもってバンド付時計３０の内周長を見る場合は、金属バンド３２を最小に短くした状態（調整できる駒を全て取り外した状態）で調べる。判定の仕方は、挿嵌したバンド付時計のバンドが下限管理ライン２２の最短長さ寸法値を示すライン線２２ａよりも上方にあれば規定内の寸法に入っていることを表している。
【００２７】
下限管理ライン２２は最短長さ寸法値を示すライン線２２ａと判定し易くするために設けたライン線２２ｂとから構成しているが、この２つのライン線２２ａ、２２ｂとの間は着色塗料で色付けしてある。金属バンド付時計３０を挿嵌したときにバンド３２の下側に着色した部分が見えると、最短長さの内周長が規定の寸法内に納まっていることを表している。このように、着色を施すことによって早い判定ができる。また、上限管理ライン２３も同様に、最長長さの下限寸法ライン２３ａと上限寸法ライン２３ｂとの間を着色塗料で色付けしてある。挿嵌したバンド３２の位置が着色領域の幅内にあれば規定寸法の中に納まっていることを表している。これも、バンドが着色領域にあるか否かで早い判定ができる。このように、着色を施すことによって判定が素早くできる。
【００２８】
さて、上限管理ライン２３を構成する下限寸法ライン２３ａと上限寸法ライン２３ｂは、バンド付時計の最長長さにおける内周長の下限規定寸法と上限規定寸法を表しているが、これは、内周長検器の外周長の寸法にもなっている。即ち、下限寸法ライン２３ａと上限寸法ライン２３ｂの設定は、内周長検器の外周長を測定して、内周長の下限規定寸法に当たる外周長寸法の部位を下限寸法ライン２３ａとし、内周長の上限規定寸法に当たる外周長寸法の部位を上限寸法ライン２３ｂとして設定している。これは、下限管理ライン２２の最短長さ寸法値を示すライン線２２ａの設定も同様である。ここで、バンド付時計の内周長は手首に装着した状態時における内周長を表している。従って、内周長検器２０に表示した上限管理ライン２３と下限管理ライン２２の所の寸法は手首に装着した状態に近い寸法値で表す必要がある。このために、本発明の内周長検器２０は、図１（ｂ）に示すように、断面が楕円の形状を取っている。しかも、その楕円形状は手首の形状に近い楕円形状を取っている。このことより、断面が楕円の内周長検器２０の外周長をもってバンド付時計の内周長としてもその誤差は非常に小さい。
【００２９】
ここで、内周長検器２０を構成するところの器体２１はプラスチックからなり、プラスチックの樹脂を用いて形成する。樹脂の材料は特に限定するものではなくアクリル樹脂やエポキシ樹脂などを用いて、射出成型方法や切削方法などで形成する。表面は滑らかに仕上げるのが良い。下限管理ライン２２及び上限管理ライン２３は着色を施すと識別と判定が非常に早くできる。本実施の形態では吹付け塗装方法により形成しているが、特に限定するものではなく、公知の方法で形成すれば良い。また、文字などは印刷にて形成しているが、これも特に限定するものではなく、レタリングなど公知の方法で形成すれば良い。また、上限管理ライン２３や下限管理ライン２２のライン線や寸法などの文字などは彫刻で形成しても良い。もちろん、器体２１を、金属や木材等から作製しても問題ないことは言うまでもない。
【００３０】
また、本実施の形態では、上限管理ライン２３及び下限管理ライン２２を帯状にして着色を施した。しかし、これも特に限定するものではなく、単にはっきりと識別できるライン線であっても良く、要は、はっきりと識別できて、正しく判定できる表示であれば良いものである。そして、その中にあって寸法値などが表示されていれば、内周長を素早く読取ることができる。
【００３１】
以上説明したように、本発明の内周長検器を用いることにより、色々デザインの異なった時計であっても、そのバンド付時計の内周長が規定内の寸法にあるか否かが簡単に判定することができる。これは、時計を出荷、管理する上で非常に有効である。
【実施例１】
【００３２】
次に、本発明の実施例１を図３を用いて説明する。ここで、図３は金属バンド付時計の女持ち用と男持ち用の最短長さの内周長と最長長さの内周長を調べる内周長検器の側面図を示している。図３において、女持ち用の金属バンド付時計の最短長さの内周長を調べるところの下限管理ライン２２と最長長さの内周長を調べるところの上限管理ライン２３の表示は前述の本発明の実施の形態で説明した仕様と同じ仕様で表示している。即ち、略円錐状の形状を持って楕円形状の断面を成す器体２１の側面に、最短長さ寸法値を示すライン線２２ａと判定し易くするために設けたライン線２２ｂとから構成した下限管理ライン２２と、最長長さの下限寸法ライン線２３ａと上限寸法ライン線２３ｂとで構成した上限管理ライン２３とを表示している。そして、この表示した帯状の下限管理ライン２２と上限管理ライン２３は赤色に着色している。また、その帯状の管理ラインの中にそれぞれ対応する仕様区別符号や規定寸法値も表示している。
【００３３】
同様に、男持ち用の金属バンド付時計の最短長さの内周長を調べるところの下限管理ライン４２と最長長さの内周長を調べるところの上限管理ライン４３も、女持ち用金属バンドの表示仕様と同じ仕様でもって、表示している。即ち、下限管理ライン４２は最短長さ寸法値を示すライン線４２ａと判定し易くするために設けたライン線４２ｂとから構成し、上限管理ライン４３は最長長さの下限寸法ライン線４３ａと上限寸法ライン線４３ｂとで構成している。そして、帯状になった下限管理ライン４２と上限管理ライン４３を青色で着色すると共に、帯状になった下限管理ライン４２と上限管理ライン４３の中にそれぞれ対応する仕様区別符号や規定寸法値を表示している。
【００３４】
ここで、男持ち用の金属バンド付時計の最短長さの内周長を調べるところの下限管理ライン４２と最長長さの内周長を調べるところの上限管理ライン４３の形成方法は前述の実施の形態で説明した女持ち用の下限管理ライン２２及び上限管理ライン２３の形成方法と同じ方法を取る。また、利用方法も前述の実施の形態で説明した女持ち用の利用方法と同じ利用方法を取る。従って、ここでの説明は省略する。
【００３５】
本実施例１の内周長検器は、女持ち用の時計のものと男持ち用の時計のものの２種類のものを色分けして表示し、それらの内周長が規定の寸法内にあるか否かを判定できるようにしている。また、この内周長検器に皮バンド付時計の内周長を調べる表示も行うことができる。このように、１個の内周長検器に何種類ものバンド付時計の内周長が管理できる表示をすることで、非常に能率の良い利用、管理が可能となる。
【実施例２】
【００３６】
次に、本発明の実施例２について図４、図５を用いて説明する。図４は本発明の実施例２における内周長検器の表側の側面図と裏側の側面図を示している。また、図５は図４に示す内周長検器に金属バンド付時計が挿嵌した状態を説明する表側の側面図と裏側の側面図を示している。本実施例２においては、金属バンド付時計の内周長が規定寸法外にはみ出たときの本発明の内周長検器を用いての内周長調整方法などついて説明する。
【００３７】
実施例２における内周長検器５０は、図４に示すように、断面が楕円形状を成す略円錐形状の器体２１の表側には、女持ち用と男持ち用の金属バンド付時計の内周長を調べる表示が設けられている。女持ち用の金属バンド付時計については、その最短長さの内周長を調べるところの下限管理ライン５２と最長長さの内周長を調べるところの上限管理ライン５３の表示が設けられている。この下限管理ライン５２と上限管理ライン５３は前述の実施例１で説明した表示仕様と同じ仕様で表示されている。即ち、最短長さの内周長を調べるところの下限管理ライン５２は最短長さ寸法値を示すライン線５２ａと判定し易くするために設けたライン線５２ｂとから構成し、最長長さの内周長を調べるところの上限管理ライン５３は最長長さの下限寸法ライン線５３ａと最長長さの上限寸法ライン線５３ｂとで構成している。そして、帯状に示された下限管理ライン５２と上限管理ライン５３は赤色の着色が施され、そのライン内には仕様区別符号と寸法値などが表示されている。男持ち用の金属バンド付時計についても同様で、その最短長さの内周長を調べるところの下限管理ライン６２と最長長さの内周長を調べるところの上限管理ライン６３の表示が設けられている。この下限管理ライン６２と上限管理ライン６３は前述の実施例１で説明した表示仕様と同じ仕様で表示されている。即ち、最短長さの内周長を調べるところの下限管理ライン６２は最短長さ寸法値を示すライン線６２ａと判定し易くするために設けたライン線６２ｂとから構成し、最長長さの内周長を調べるところの上限管理ライン６３は最長長さの下限寸法ライン線６３ａと上限寸法ライン線６３ｂとで構成している。そして、帯状に示された下限管理ライン６２と上限管理ライン６３は青色の着色が施され、そのライン内には仕様区別符号と寸法値などが表示されている。
【００３８】
一方、内周長検器５０の裏側には、内周長寸法を示すライン線６５が複数、平行に設けられている。そして、それぞれの平行なライン線６５上に内周長寸法６６が表示されている。平行な複数のライン線６５のそれぞれの間隔は内周長が調整できる最小の単位で設定している。図６は金属バンドのあるモデルの要部平面図を示したもので、一番端にある駒７２ａに微調整駒７２ｂが複数（図６においては３個）繋がっており、更に、微調整駒７２ｂに本体駒７２ｃが複数繋がってバンド７２が形成されている。一番端にある駒７２ａはバネ棒を介して時計に接続されるようになっている。また、微調整駒７２ｂ、本体駒７２ｃはバネ棒を介してそれぞれ繋がって接続しており、繋がった各駒の間には多少のガタを持たせている。各微調整駒７２ｂの長さｎは皆同じで、各本体駒７２ｃの長さｍも皆同じになっていて、本体駒７２ｃの長さｍは微調整駒７２ｂの長さｎの約２倍の長さに設定している。また、微調整駒７２ｂ及び本体駒７２ｃは何れも取付け・取外しが可能になっていて、バンド７２を長くしたい場合には微調整駒７２ｂや本体駒７２ｃを増やすと長くなり、逆に、短くしたい場合には微調整駒７２ｂや本体駒７２ｃを取外すと短くなる。このように、微調整駒７２ｂや本体駒７２ｃの取付け・取外しで内周長が調整できるようになっている。そして、微調整駒７２ｂの１個が調整できる最小の単位で、１個の微調整駒７２ｂの長さｎが内周長を調整する最小の寸法になる。バンドのモデルによって調整駒の形状が異なるものもあるが、調整できる最小の量は、どのモデルもほぼ同じで、３〜４ｍｍ位に設定されている。複数のライン線６５は１個の微調整駒によって変わる内周長の寸法毎に間隔を持たせてそれぞれ平行に形成している。このように、実施例２の内周長検器５０は表側と裏側は異なった表示がなされている。前記したように、近年は色々なデザインのバンドも考えられるため、どんなバンドでも対応できるよう、ライン線６５の間隔をあらかじめ１ｍｍ単位で設定しても良い。
【００３９】
図５は上記実施例２の内周長検器５０に男持ち用の金属バンド付時計を上からはめ込んで挿嵌した状態を示した表側と裏側の側面図である。図５の表側の側面図においては、金属バンド付時計７０は男持ち用時計の最長長さの内周長を調べる上限管理ライン６３よりはるかに下方側で挿嵌している。これから、この金属バンド付時計７０の内周長は、規定の最長長さ寸法からはみ出して規定寸法より長いことを表している。従って、金属バンド
の長さを短く調整する必要がある。
【００４０】
一方、図５の裏側の側面図から、金属バンド付時計７０が挿嵌している位置と寸法ライン線６５から、そのバンド付時計７０の内周長を読み取ることができる。そして、規定の上限管理ライン６３の内周長との差も読み取ることができる。更に、駒を何個取り除けば上限管理ライン６３の内周長に納まるかが分かる。このように、調整量を即座に見い出すことができる。
【００４１】
以上実施例２にて説明した本発明の内周長検器は、表側でバンド付時計の内周長が規定内に納まっているか否かを判定し、裏側でバンド付時計の内周長の寸法を読み取ると同時に、規定に納まっていない場合には、その調整量も読み取ることができるようになっている。一目にして調整すべき量まで読み取ることができるので迅速な判断処理が可能となる。
【００４２】
実施例２の内周長検器は、金属バンド付時計を手首の太さに合わせた内周長調整も迅速にできる。その場合の方法を説明する。最初に、紐（または、紐状の物品）を手首に１周巻き付けて手首の外周長を調べ、１周の長さの紐を輪状にして内周長検器に挿嵌し、検器の内周長を読み取る。次に、手首にはめる金属バンド付時計を検器に挿嵌してその最長長さの内周長を読み取ると同時に、輪状の紐で読み取った検器の内周長との差を読み取る。この差分が内周長の調整量となる。次に、内周長の調整作業に入る。内周長の調整はバンドの駒（微調整駒と本体駒）による調整と中留の側板部分での調整とでのバランスを考慮して調整する。最初に、金属バンドの微調整駒や本体駒を減らして内周長を一定のところまで調整する。減らす駒の数は検器の寸法ライン線からすぐ読みとれる。次に、中留の側板部分での中板との係止位置での調整を行う。これも検器の寸法ライン線からすぐ読みとれる。このように、調整量が速やかに把握できるので調整作業が迅速にできる。
【００４３】
以上、バンド付時計を取り上げて説明したが、本発明の内周長検器はネックレスなどの輪状身飾品にも適用できる。ネックレスは身に付ける人のちょうど良い長さに設定する必要があり、また、それに合わせて長さの調整が必要とされてくる。ネックレス用の内周長寸法ライン線を設けた内周長検器を用いれば、１回で要望する長さに調整することができる。
【図面の簡単な説明】
【００４４】
【図１】図１（ａ）は本発明の輪状身飾品の内周長検器の斜視図、図１（ｂ）は図１（ａ）における内周長検器の要部横断面図である。
【図２】輪状身飾品を図１に示す内周長検器に挿嵌したときの状態を示す要部側面図である。
【図３】本発明の実施例１における、金属バンド付時計の女持ち用と男持ち用の最短長さの内周長と最長長さの内周長を調べる内周長検器の側面図である。
【図４】本発明の実施例２における、内周長検器の表側の側面図と裏側の側面図である。
【図５】図４に示す内周長検器に金属バンド付時計が挿嵌した状態を説明する表側の側面図と裏側の側面図である。
【図６】金属バンドのあるモデルの要部平面図である。
【図７】金属バンド付時計の側面図である。
【図８】皮バンド付時計の平面図である。
【図９】図７における金属バンド付時計を手首に装着したときの側面図である。
【図１０】図８における皮バンド付時計を手首に装着したときの側面図である。
【符号の説明】
【００４５】
１、１１    時計
２、３２、７２    金属バンド      
３、１３    第１のバンド
４、１４    第２のバンド  
５    中留  
６    下板
７    中板
８    側板
９    ロック装置
１０    バネ棒
１２    皮バンド
１５    止め金具
２０、４０、５０    内周長検器
２１    器体
２２、４２、５２、６２    下限管理ライン
２３、４３、５３、６３    上限管理ライン
３０、７０    金属バンド付時計
６５    寸法ライン
６６    寸法
【図１】
2006132939.tif 000003
【図２】
2006132939.tif 000004
【図３】
2006132939.tif 000005
【図４】
2006132939.tif 000006
【図５】
2006132939.tif 000007
【図６】
2006132939.tif 000008
【図７】
2006132939.tif 000009
【図８】
2006132939.tif 000010
【図９】
2006132939.tif 000011
【図１０】
2006132939.tif 000012